【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
マシン−マシン無線ワイドエリアネットワークにおける無線通信のための方法であって、
第１のページングチャネルを用いて第１のデータレートで前記マシン−マシン無線ワイドエリアネットワークにおいて第１のページングメッセージを送信することと、
前記第１のデータレートでの前記第１のページングメッセージの前記送信に続くある期間後に応答が受信されないことを検出することを備える第１のイベントの発生を検出することと、
第２のページングチャネルを用いて第２のデータレートで、前記第１のイベントの前記発生に基づいて、第２のページングメッセージを送信することであって、前記第２のページングチャネルは、前記第１のページングチャネルと異なり、前記第２のデータレートは、前記第１のデータレートと異なる送信することと、を備える、方法。
【請求項２】
前記第１のページングメッセージ及び前記第２のページングメッセージは、同じメッセージを備え、及び／又は、
前記第２のデータレートは、前記第１のデータレートよりも低い請求項１に記載の方法。
【請求項３】
第２のイベントの発生を検出することと、
前記第１のページングチャネルを用いて前記第１のデータレートで第３のページングメッセージを送信することと、をさらに備え、及び任意選択で、
前記第２のイベントの前記発生を検出することは、
前記第２のデータレートでの前記第２のページングメッセージの受信を示す応答の受信を検出することをさらに備える請求項１に記載の方法。
【請求項４】
前記第１のページングチャネル及び前記第２のページングチャネルは、論理チャネルを備え、及び／又は、
第１のページングサイクルに従って前記第１のページングメッセージを送信することと、
第２のページングサイクルに従って前記第２のページングメッセージを送信することと、をさらに備え、及び好ましいことに、
前記第１のページングサイクルは、第１の長さを備え、前記第２のページングサイクルは、第２の長さを備え、前記第２の長さは、前記第１の長さよりも短い請求項１に記載の方法。
【請求項５】
前記第１のページングメッセージの受信を示す応答が受信されるまで前記第２のデータレートで前記第１のページングメッセージを再送信することをさらに備える請求項１に記載の方法。
【請求項６】
前記第１のページングメッセージ及び前記第２のページングメッセージを同時並行して送信することをさらに備え、前記第１のページングメッセージの前記送信は、前記第１のページングチャネルを使用し、前記第２のページングメッセージの前記送信は、前記第２のページングチャネルを使用する請求項１に記載の方法。
【請求項７】
前記第１のページングメッセージ及び前記第２のページングメッセージを送信することは、
前記第１のページングメッセージを第１の基地局から送信することと、
前記第２のページングメッセージを前記第１の基地局から送信することと、又は、
前記第２のページングメッセージを第２の基地局から送信することと、をさらに備え、前記第２の基地局は、前記第１の基地局と異なる請求項１に記載の方法。
【請求項８】
物理層フレームのタイムスロットを識別することと、
前記識別されたタイムスロット中にページングメッセージを送信することと、をさらに備え、及び任意選択で、
前記タイムスロットを識別することは、
前記タイムスロットを決定するためにハッシュ関数を実行することと、
前記タイムスロットを端末に割り当てることと、をさらに備え、前記タイムスロットは、前記ページングメッセージを備える請求項１に記載の方法。
【請求項９】
前記第１のページングチャネル及び前記第２のページングチャネルは、符号分割多元接続チャネルを備え、又は、
前記第１のページングチャネル及び前記第２のページングチャネルは、時分割多元接続チャネルを備える請求項１に記載の方法。
【請求項１０】
マシン−マシン無線ワイドエリアネットワークにおける無線通信のために構成された装置であって、
第１のページングチャネルを用いて第１のデータレートで前記マシン−マシン無線ワイドエリアネットワークにおいて第１のページングメッセージを送信するための手段と、
前記第１のデータレートでの前記第１のページングメッセージの前記送信に続くある期間後に応答が受信されないことを検出するための手段を備える、第１のイベントの発生を検出するための手段と、
第２のページングチャネルを用いて第２のデータレートで、前記第１のイベントの前記発生に基づいて、第２のページングメッセージを送信するための手段であって、前記第２のページングチャネルは、前記第１のページングチャネルと異なり、前記第２のデータレートは、前記第１のデータレートと異なる、送信するための手段と、
を備える、装置。
【請求項１１】
前記第１のページングメッセージ及び前記第２のページングメッセージは、同じメッセージを備え、及び／又は、
前記第２のデータレートは、前記第１のデータレートよりも低い請求項１０に記載の装置。
【請求項１２】
第２のイベントの発生を検出するための手段と、
前記第１のページングチャネルを用いて前記第１のデータレートで第３のページングメッセージを送信するための手段と、をさらに備え、及び／又は、
前記第１のページングメッセージ及び前記第２のページングメッセージを送信するための前記手段は、
第１のページングサイクルに従って前記第１のページングメッセージを送信するための手段と、
第２のページングサイクルに従って前記第２のページングメッセージを送信するための手段と、をさらに備え、及び任意選択で、前記第１のページングサイクルは、第１の長さを備え、前記第２のページングサイクルは、第２の長さを備え、前記第２の長さは、前記第１の長さよりも短い請求項１０に記載の装置。
【請求項１３】
前記第１のページングメッセージの受信を示す応答が受信されるまで前記第２のデータレートで前記第１のページングメッセージを再送信することをさらに備え、又は、
前記第１のページングメッセージ及び前記第２のページングメッセージを同時並行して送信するための手段をさらに備え、前記第１のページングメッセージの前記送信は、前記第１のページングチャネルを使用し、前記第２のページングメッセージの前記送信は、前記第２のページングチャネルを使用する請求項１０に記載の装置。
【請求項１４】
物理層フレームのタイムスロットを識別するための手段と、
前記識別されたタイムスロット中にページングメッセージを送信するための手段と、をさらに備え、及び任意選択で、
前記タイムスロットを識別するための前記手段は、
前記タイムスロットを決定するためにハッシュ関数を実行するための手段と、
前記タイムスロットを端末に割り当てるための手段と、をさらに備え、前記タイムスロットは、前記ページングメッセージを備える請求項１０に記載の装置。
【請求項１５】
マシン−マシン無線ワイドエリアネットワークにおける無線通信を管理するためのコンピュータプログラム製品であって、請求項１から９のうちのいずれか１つに記載の方法を実行するためにプロセッサによって実行可能である命令を格納する非一時的なコンピュータによって読み取り可能な媒体を備える、コンピュータプログラム製品。
【手続補正２】
【補正対象書類名】明細書
【補正対象項目名】０１１８
【補正方法】変更
【補正の内容】
【０１１８】
［００４６］開示される典型的な実施形態に関する説明は、当業者が本発明を製造又は使用することを可能にするために提供される。本発明に対する様々な修正は、当業者にとって容易に明確になるであろう、及びここにおいて定められる一般原理は、本発明の精神又は適用範囲を逸脱せずにその他の変形に対しても適用することができる。以上のように、本発明は、ここにおいて示される典型的な実施形態に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］
マシン−マシン（Ｍ２Ｍ）無線ワイドエリアネットワーク（ＷＡＮ）における無線通信のための方法であって、
第１のページングチャネルを用いて第１のデータレートで前記Ｍ２Ｍ無線ＷＡＮにおいて第１のページングメッセージを送信することと、
第１のイベントの発生を検出することと、
第２のページングチャネルを用いて第２のデータレートで、前記第１のイベントの前記発生に少なくとも部分的に基づいて、第２のページングメッセージを送信することであって、前記第２のページングチャネルは、前記第１のページングチャネルと異なることと、を備える、方法。
［Ｃ２］
前記第１のページングメッセージ及び前記第２のページングメッセージは、同じメッセージを備えるＣ１に記載の方法。
［Ｃ３］
前記第２のデータレートは、前記第１のデータレートよりも低いＣ１に記載の方法。
［Ｃ４］
前記第１のイベントの前記発生を検出することは、
前記第１のデータレートでの前記第１のページングメッセージの前記送信に続くある期間後に応答が受信されないことを検出することをさらに備えるＣ１に記載の方法。
［Ｃ５］
第２のイベントの発生を検出することと、
前記第１のページングチャネルを用いて前記第１のデータレートで第３のページングメッセージを送信することと、をさらに備えるＣ１に記載の方法。
［Ｃ６］
前記第２のイベントの前記発生を検出することは、
前記第２のデータレートでの前記第２のページングメッセージの受信を示す応答の受信を検出することをさらに備えるＣ５に記載の方法。
［Ｃ７］
前記第１のページングチャネル及び前記第２のページングチャネルは、論理チャネルを備えるＣ１に記載の方法。
［Ｃ８］
第１のページングサイクルに従って前記第１のページングメッセージを送信することと、
第２のページングサイクルに従って前記第２のページングメッセージを送信することと、をさらに備えるＣ１に記載の方法。
［Ｃ９］
前記第１のページングサイクルは、第１の長さを備え、前記第２のページングサイクルは、第２の長さを備え、前記第２の長さは、前記第１の長さよりも短いＣ８に記載の方法。
［Ｃ１０］
前記第１のページングメッセージの受信を示す応答が受信されるまで前記第２のデータレートで前記第１のページングメッセージを再送信することをさらに備えるＣ１に記載の方法。
［Ｃ１１］
前記第１のページングメッセージ及び前記第２のページングメッセージを同時並行して送信することをさらに備え、前記第１のページングメッセージの前記送信は、前記第１のページングチャネルを使用し、前記第２のページングメッセージの前記送信は、前記第２のページングチャネルを使用するＣ１に記載の方法。
［Ｃ１２］
前記第１のページングメッセージ及び前記第２のページングメッセージを送信することは、
前記第１のページングメッセージを第１の基地局から送信することと、
前記第２のページングメッセージを前記第１の基地局から送信することと、をさらに備えるＣ１に記載の方法。
［Ｃ１３］
前記第１のページングメッセージ及び前記第２のページングメッセージを送信することは、
前記第１のページングメッセージを第１の基地局から送信することと、
前記第２のページングメッセージを第２の基地局から送信することと、をさらに備え、前記第２の基地局は、前記第１の基地局と異なるＣ１に記載の方法。
［Ｃ１４］
物理層フレームのタイムスロットを識別することと、
前記識別されたタイムスロット中にページングメッセージを送信することと、をさらに備えるＣ１に記載の方法。
［Ｃ１５］
前記タイムスロットを識別することは、
前記タイムスロットを決定するためにハッシュ関数を実行することと、
前記タイムスロットを端末に割り当てることと、をさらに備え、前記タイムスロットは、前記ページングメッセージを備えるＣ１４に記載の方法。
［Ｃ１６］
前記第１のチャネル及び前記第２のページングチャネルは、符号分割多元接続（ＣＤＭＡ）チャネルを備えるＣ１に記載の方法。
［Ｃ１７］
前記第１のチャネル及び前記第２のページングチャネルは、時分割多元接続（ＴＤＭＡ）チャネルを備えるＣ１に記載の方法。
［Ｃ１８］
マシン−マシン（Ｍ２Ｍ）無線ワイドエリアネットワーク（ＷＡＮ）における無線通信のために構成された基地局であって、
プロセッサと、
前記プロセッサと電子通信状態にあるメモリと、
前記メモリに格納された命令と、を備え、前記命令は、
第１のページングチャネルを用いて第１のデータレートで前記Ｍ２Ｍ無線ＷＡＮにおいて第１のページングメッセージを送信し、
第１のイベントの発生を検出し、及び
第２のページングチャネルを用いて第２のデータレートで、前記第１のイベントの前記発生に少なくとも部分的に基づいて、第２のページングメッセージを送信するために前記プロセッサによって実行可能であり、前記第２のページングチャネルは、前記第１のページングチャネルと異なる、基地局。
［Ｃ１９］
前記第１のページングメッセージ及び前記第２のページングメッセージは、同じメッセージを備えるＣ１８に記載の基地局。
［Ｃ２０］
前記第２のデータレートは、前記第１のデータレートよりも低いＣ１８に記載の基地局。
［Ｃ２１］
前記第１のイベントの前記発生を検出するための前記命令は、
前記第１のデータレートでの前記第１のページングメッセージの前記送信に続くある期間後に応答が受信されないことを検出するために前記プロセッサによってさらに実行可能であるＣ１８に記載の基地局。
［Ｃ２２］
前記命令は、
第２のイベントの発生を検出し、及び
前記第１のページングチャネルを用いて前記第１のデータレートで第３のページングメッセージを送信するために前記プロセッサによってさらに実行可能であるＣ１８に記載の基地局。
［Ｃ２３］
前記第２のイベントの前記発生を検出するための前記命令は、
前記第２のデータレートでの前記第２のページングメッセージの受信を示す応答の受信を検出するために前記プロセッサによってさらに実行可能であるＣ２２に記載の基地局。
［Ｃ２４］
前記第１のページングチャネル及び前記第２のページングチャネルは、論理チャネルを備えるＣ１８に記載の基地局。
［Ｃ２５］
前記第１のページングメッセージ及び前記第２のページングメッセージを送信するための前記命令は、
第１のページングサイクルに従って前記第１のページングメッセージを送信し、及び
第２のページングサイクルに従って前記第２のページングメッセージを送信するために前記プロセッサによってさらに実行可能であるＣ１８に記載の基地局。
［Ｃ２６］
前記第１のページングサイクルは、第１の長さを備え、前記第２のページングサイクルは、第２の長さを備え、前記第２の長さは、前記第１の長さよりも短いＣ２５に記載の基地局。
［Ｃ２７］
前記命令は、
前記第１のページングメッセージの受信を示す応答が受信されるまで前記第２のデータレートで前記第１のページングメッセージを再送信するために前記プロセッサによってさらに実行可能であるＣ１８に記載の基地局。
［Ｃ２８］
マシン−マシン（Ｍ２Ｍ）無線ワイドエリアネットワーク（ＷＡＮ）における無線通信のために構成された装置であって、
第１のページングチャネルを用いて第１のデータレートで前記Ｍ２Ｍ無線ＷＡＮにおいて第１のページングメッセージを送信するための手段と、
第１のイベントの発生を検出するための手段と、
第２のページングチャネルを用いて第２のデータレートで、前記第１のイベントの前記発生に少なくとも部分的に基づいて、第２のページングメッセージを送信するための手段であって、前記第２のページングチャネルは、前記第１のページングチャネルと異なる手段と、を備える、装置。
［Ｃ２９］
前記第１のページングメッセージ及び前記第２のページングメッセージは、同じメッセージを備えるＣ２８に記載の装置。
［Ｃ３０］
前記第２のデータレートは、前記第１のデータレートよりも低いＣ２８に記載の装置。
［Ｃ３１］
前記第１のイベントの前記発生を検出するための前記手段は、
前記第１のデータレートでの前記第１のページングメッセージの前記送信に続くある期間後に応答が受信されないことを検出するための手段をさらに備えるＣ２８に記載の装置。
［Ｃ３２］
第２のイベントの発生を検出するための手段と、
前記第１のページングチャネルを用いて前記第１のデータレートで第３のページングメッセージを送信するための手段と、をさらに備えるＣ２８に記載の装置。
［Ｃ３３］
前記第１のページングメッセージ及び前記第２のページングメッセージを送信するための前記手段は、
第１のページングサイクルに従って前記第１のページングメッセージを送信するための手段と、
第２のページングサイクルに従って前記第２のページングメッセージを送信するための手段と、をさらに備えるＣ２８に記載の装置。
［Ｃ３４］
前記第１のページングサイクルは、第１の長さを備え、前記第２のページングサイクルは、第２の長さを備え、前記第２の長さは、前記第１の長さよりも短いＣ３３に記載の装置。
［Ｃ３５］
前記第１のページングメッセージの受信を示す応答が受信されるまで前記第２のデータレートで前記第１のページングメッセージを再送信することをさらに備えるＣ２８に記載の装置。
［Ｃ３６］
前記第１のページングメッセージ及び前記第２のページングメッセージを同時並行して送信するための手段をさらに備え、前記第１のページングメッセージの前記送信は、前記第１のページングチャネルを使用し、前記第２のページングメッセージの前記送信は、前記第２のページングチャネルを使用するＣ２８に記載の装置。
［Ｃ３７］
前記第１のページングメッセージを第１の基地局から送信するための手段と、
前記第２のページングメッセージを前記第１の基地局から送信するための手段と、をさらに備えるＣ２８に記載の装置。
［Ｃ３８］
物理層フレームのタイムスロットを識別するための手段と、
前記識別されたタイムスロット中にページングメッセージを送信するための手段と、をさらに備えるＣ２８に記載の装置。
［Ｃ３９］
前記タイムスロットを識別するための前記手段は、
前記タイムスロットを決定するためにハッシュ関数を実行するための手段と、
前記タイムスロットを端末に割り当てるための手段と、をさらに備え、前記タイムスロットは、前記ページングメッセージを備えるＣ３８に記載の装置。
［Ｃ４０］
マシン−マシン（Ｍ２Ｍ）無線ワイドエリアネットワーク（ＷＡＮ）における無線通信を管理するためのコンピュータプログラム製品であって、
第１のページングチャネルを用いて第１のデータレートで前記Ｍ２Ｍ無線ＷＡＮにおいて第１のページングメッセージを送信し、
第１のイベントの発生を検出し、及び
第２のページングチャネルを用いて第２のデータレートで、前記第１のイベントの前記発生に少なくとも部分的に基づいて、第２のページングメッセージを送信するためにプロセッサによって実行可能である命令を格納する非一時的なコンピュータによって読み取り可能な媒体を備え、前記第２のページングチャネルは、前記第１のページングチャネルと異なる、コンピュータプログラム製品。
［Ｃ４１］
前記第１のページングメッセージ及び前記第２のページングメッセージは、同じメッセージを備えるＣ４０に記載のコンピュータプログラム製品。
［Ｃ４２］
前記第２のデータレートは、前記第１のデータレートよりも低いＣ４０に記載のコンピュータプログラム製品。